(57)【要約】【課題】  ファイル名領域の選択幅を広げることができ、原稿画像データに所望のファイル名の付与を可能とし、適切なファイル名を付すことのできるファイル名作成装置を提供すること。【解決手段】  原稿画像を読取る画像読取手段と該読取った画像データのファイル名領域からファイル名を判読する判読手段とを備えたファイル名作成装置において、ユーザが前記原稿画像上の複数のファイル名領域を設定可能なファイル名領域設定手段と、前記複数のファイル名領域からユーザの指示に基づいて特定のファイル名領域を決定する決定手段と、前記特定のファイル名領域から前記判読手段で判読された複数のファイル名から特定のファイル名を選択する選択手段とを備えた。【選択図】  図１
2005311729.tif 000002
【特許請求の範囲】
【請求項１】
原稿画像を読取る画像読取手段と該読取った画像データのファイル名領域からファイル名を判読する判読手段とを備えたファイル名作成装置において、
ユーザが前記原稿画像上の複数のファイル名領域を設定可能なファイル名領域設定手段と、
前記複数のファイル名領域からユーザの指示に基づいて特定のファイル名領域を決定する決定手段と、
前記特定のファイル名領域から前記判読手段で判読された複数のファイル名から特定のファイル名を選択する選択手段と、
を備えたことを特徴とするファイル名作成装置。
【請求項２】
前記選択手段はユーザの指示に基づいた選択を実行する請求項１記載のファイル名作成装置。
【請求項３】
原稿画像を読取る画像読取手段と該読取った画像データのファイル名領域からファイル名を判読する判読手段とを備えたファイル名作成装置のファイル名作成プログラムにおいて、
前記ファイル名作成装置のプロセッサに、
ユーザが前記原稿画像上の複数のファイル名領域を設定可能なファイル名領域設定ステップと、
前記複数のファイル名領域からユーザの指示に基づいて特定のファイル名領域を決定する決定ステップと、
前記特定のファイル名領域から前記判読手段で判読された複数のファイル名から特定のファイル名を選択する選択ステップと、
を実行させることを特徴とするファイル名作成装置のファイル名作成プログラム。
【発明の詳細な説明】
【技術分野】
【０００１】
本発明は、ファイル名作成装置及びファイル名作成プログラムに関する。
【背景技術】
【０００２】
従来、ファイル名を付する画像読取装置においては、読取対象となる原稿のファイル名領域にファイル名及び保存場所が記入され、画像データが読取られると同時に、ファイル名領域に手書きされたファイル名及び保存場所が光学的文字認識方法によって判読され、当該ファイル名が付されて当該画像読取装置に接続されたホストコンピュータの当該保存場所に保存できるという技術が提案されている（特許文献１、２参照）。
【特許文献１】特開２００２−７４３２１号公報
【特許文献２】特開平０６−２０９３９６号公報
【発明の開示】
【発明が解決しようとする課題】
【０００３】
しかしながら、上述した従来技術では、例えば、原稿台へのセット状態における例えば原稿左下隅等の一定の位置に一定の大きさのファイル名領域を定める等の操作を行なうためファイル名領域を固定的にしか定めることができず、ファイル名領域の設定の余地が限られてしまい利便性に欠ける構成であった。
【０００４】
これは、一定の位置に一定の大きさでファイル名領域を定めるため、例えば、複数の種類の原稿がある場合、ファイル名領域として設定したい領域は原稿の種類によって異なるところ、当該原稿の種類に応じての所望のファイル名領域の位置設定ができず、所望のファイル名の付与ができないという問題があった。
【０００５】
そこで、本発明は上記問題に鑑み、読取った原稿画像データにユーザがファイル名領域を複数設定できる構成とすることで、ファイル名領域の選択幅を広げることができ、当該原稿画像データに所望のファイル名の付与を可能とし、適切なファイル名を付すことのできるファイル名作成装置を提供することを目的とする。
【課題を解決するための手段】
【０００６】
本発明は、原稿画像を読取る画像読取手段と該読取った画像データのファイル名領域からファイル名を判読する判読手段とを備えたファイル名作成装置を前提としている。
【０００７】
本発明は、ユーザが前記原稿画像上の複数のファイル名領域を設定可能なファイル名領域設定手段と、前記複数のファイル名領域からユーザの指示に基づいて特定のファイル名領域を決定する決定手段と、前記特定のファイル名領域から前記判読手段で判読された複数のファイル名から特定のファイル名を選択する選択手段とを備えた構成としている。
【０００８】
このようにすれば、読取った原稿画像データにユーザがファイル名領域を複数設定できる構成とすることで、ファイル名領域の選択幅を広げることができ、当該原稿画像データに所望のファイル名の付与を可能とし、適切なファイル名を付すことができる。
【０００９】
また、前記選択手段はユーザの指示に基づいた選択を実行する構成としてもよい。
【００１０】
このようにすれば、読取った原稿画像データにユーザが所望するファイル名を付すことができる。
【００１１】
原稿画像を読取る画像読取手段と該読取った画像データのファイル名領域からファイル名を判読する判読手段とを備えたファイル名作成装置のファイル名作成プログラムにおいて、前記ファイル名作成装置のプロセッサに、ユーザが前記原稿画像上の複数のファイル名領域を設定可能なファイル名領域設定ステップと、前記複数のファイル名領域からユーザの指示に基づいて特定のファイル名領域を決定する決定ステップと、前記特定のファイル名領域から前記判読手段で判読された複数のファイル名から特定のファイル名を選択する選択ステップとを実行させる構成としてもよい。
【００１２】
このようにすれば、読取った原稿画像データにユーザがファイル名領域を複数設定できる構成とすることで、ファイル名領域の選択幅を広げることができ、当該原稿画像データに所望のファイル名の付与を可能とし、適切なファイル名を付すことができる。
【発明の効果】
【００１３】
読取った原稿画像データにユーザがファイル名領域を複数設定できる構成とすることで、ファイル名領域の選択幅を広げることができ、当該原稿画像データに所望のファイル名の付与を可能とし、適切なファイル名を付すことができる。
【発明を実施するための最良の形態】
【００１４】
（第１の実施の形態）
以下、本発明の第１の実施の形態を図面にしたがって詳細に説明する。
【００１５】
図１は本発明の実施の形態におけるファイル名作成装置の概略機能ブロック図であり、図２は本発明の実施の形態におけるファイル名作成装置の動作を示すフロー図である。
【００１６】
本実施の形態におけるファイル名作成装置は、原稿画像を読取る画像読取装置１０と、当該画像読取装置１０にネットワーク接続された複数のパーソナルコンピュータとから構成されている。
【００１７】
上記画像読取装置１０で読取られた原稿画像データはファイル化されて、ユーザが選択したパーソナルコンピュータに送信されることとなる。
【００１８】
以下、本発明のファイル名作成装置の動作を図２に基づいて説明する。
【００１９】
まず、ユーザは画像読取装置１０のファイル名領域設定手段１を起動し、図３に示すようなファイル名領域設定画面をモニタ７に表示させる。
【００２０】
ユーザは送信先のパーソナルコンピュータ毎に上記モニタ７に表示された領域設定画面に原稿画像上のファイル名領域の基準点となる座標と当該基準点からの領域の大きさを入力する。
【００２１】
上記送信先毎に入力されたファイル名領域（本実施の形態では、ファイル名領域ａ〜ｄ）は、図４のテーブル８に示すように送信先のパーソナルコンピュータと関連付けられて、図５Ａに示すように原稿画像２０上に設定され、当該設定情報はファイル名領域設定手段１に保存される。
【００２２】
上記図４のテーブル８は、例えば、読取った原稿画像データの送信先がＰＣ（Ａ）である場合、ファイル名領域はａであることを示す。これはＰＣ（Ａ）を送信先とする場合は、ファイル名領域をａとする頻度が高い等の理由に基づいてユーザが設定する。
【００２３】
その後、モニタ７に表示される図示しない送信先選択画面から決定手段２により、ユーザが送信先としてＰＣ（Ｂ）を選択したとすると、ファイル名領域ｂがファイル名領域の候補として選択されたことになる。
【００２４】
以下、ファイル名領域ｂがファイル名領域になっている場合を例に説明する。
【００２５】
次に、ユーザが、画像読取装置１０の原稿台に原稿をセットして、読取手段３が当該原稿画像の読取りを行う（Ｓ２）と、ＯＣＲ（Optical Character Reader）等の光学的文字認識手段で構成される判読手段４が起動し、当該読取原稿画像上の上記選択されたファイル名領域ｂの判読を行い、文字として認識する（Ｓ３）。
【００２６】
上記判読手段４がファイル名領域ｂを判読して認識した結果が、例えば図５Ｂに示すように２行からなる文字列であった場合、当該判読手段４は、例えば文字列１行毎にファイル名を作成し、２つのファイル名ｂ１、ｂ２が作成されることとなる（Ｓ４）。
【００２７】
ユーザは、モニタ７に表示される上記判読手段４の作成した２つのファイル名ｂ１、ｂ２から、選択手段５により所望のファイル名を選択し、上記原稿画像に付するファイル名を選択する（Ｓ５）。
【００２８】
上記ファイル名の選択結果に基づいて、制御手段６は上記読取原稿画像に当該選択されたファイル名を付して、送信先であるＰＣ（Ｂ）に当該読取原稿画像を送信する（Ｓ６）。
【００２９】
このようにすれば、読取った原稿画像データにユーザがファイル名領域を複数設定できる構成とすることで、ファイル名領域の選択幅を広げることができ、当該原稿画像データに所望のファイル名の付与を可能とし、適切なファイル名を付すことができる。
【００３０】
なお、上記判読手段のファイル名作成方法は、例えば判読した文字列の５文字毎に１つのファイル名を作成する構成としてもよいし、判読した文字列のスペースがある毎に１つのファイル名を作成する構成としても構わないのは勿論である。
【００３１】
また、本実施の形態では、ファイル名領域は送信先に関連付けられた領域として説明したが、図６のテーブル９に示すように、原稿の種類（原稿の内容）に関連付けられた領域として設定してもよい。
【００３２】
また、選択手段５はユーザの指示に基づいてファイル名の選択を実行する構成で説明したが、上述したような判読した文字列1行毎にファイル名を作成する構成であれば、装置側が、例えばファイル名候補のうち最も短い文字列を自動的にファイル名として選択する構成としてもよい。このとき、最も短い文字列が複数ある場合は、例えば文字列の頭文字の五十音順に優先的にファイル名とする構成としてもよい。
【００３３】
また、本実施の形態では画像読取装置１０にネットワーク接続されるパーソナルコンピュータは複数である構成で説明したが、単数であってもよいのは勿論である。
【００３４】
（第２の実施の形態）
図７は本発明の第２の実施の形態におけるファイル名作成装置の概略機能ブロック図である。なお、図７では第１の実施の形態と同一のブロックに同一の符号を付している。以下では第１の実施の形態と同一の処理内容については簡略化して説明する。
【００３５】
ユーザはパーソナルコンピュータＰＣ（Ｅ）のファイル名領域設定手段１を起動し、ファイル名領域設定画面をモニタ７に表示させる。
【００３６】
ユーザは原稿の種類（原稿の内容）毎に上記モニタ７に表示された領域設定画面に原稿画像上のファイル名領域の基準点と当該基準点からの領域の大きさを入力することで、ファイル名領域（本実施の形態では、ファイル名領域ａ〜ｄ）を図６のテーブル９に示すように原稿の種類と関連付けて設定し、当該設定情報はファイル名領域設定手段１に保存される。なお、このときモニタ７に表示される図示しない設定画面から読取原稿画像データの保存先を設定しておく。
【００３７】
その後、モニタ７に表示される図示しない原稿の種類の選択画面から決定手段２により、原稿の種類を選択すると、当該選択された原稿の種類に関連付けられたファイル名領域がファイル名領域として選択されたことになる。
【００３８】
ユーザが、画像読取装置１０の原稿台に原稿をセットして、読取手段３が当該原稿画像の読取りを行うと、当該読取原稿画像データはＰＣ（Ｅ）の判読手段４に送信される。
【００３９】
上記判読手段４は受信した原稿画像データ上の上記選択されたファイル名領域を判読し、文字として認識する。
【００４０】
上記判読して認識されたファイル名が複数ある場合、ユーザはモニタ７から選択手段５により、所望のファイル名を選択し、上記原稿画像に付するファイル名を選択する。
【００４１】
制御手段６は上記読取原稿画像データに上記選択されたファイル名を付して、保存先に保存する。
【００４２】
このようにすれば、読取った原稿画像データにユーザがファイル名領域を複数設定できる構成とすることで、ファイル名領域の選択幅を広げることができ、当該原稿画像データに所望のファイル名の付与を可能とし、適切なファイル名を付すことができる。
【００４３】
なお、ファイル名領域の設定は、当該ファイル名領域の設定を行う以前に、複数の原稿画像を一旦読取り、図８に示すように当該読取原稿画像をパーソナルコンピュータのモニタ７上にサムネイル表示して、当該サムネイル表示画面上から例えば、原稿画像２２にはファイル名領域の位置をｆと設定する等の操作を行う構成としてもよい。このときのファイル名領域の設定方法は、例えばマウスをドラッグして矢印記号の始点と終点とから領域を設定する構成としてもよい。
【００４４】
また、画像読取装置に複数のパーソナルコンピュータがネットワーク接続されている場合、当該複数のパーソナルコンピュータ各々には上述と同様の機能を果たす手段が内蔵されているものとして本発明を実現可能である。その場合、上記読取原稿画像データの保存先（送信先）をネットワーク接続されたその他のパーソナルコンピュータとすることが可能である。
【００４５】
上記実施の形態で説明した構成は、単に具体例を示すものであり、本願発明の技術的範囲を制限するものではない。本願の効果を奏する範囲において、任意の構成を採用することが可能である。
【産業上の利用可能性】
【００４６】
読取った原稿画像データにユーザがファイル名領域を複数設定できる構成とすることで、ファイル名領域の選択幅を広げることができ、当該原稿画像データに所望のファイル名の付与を可能とし、適切なファイル名を付すことができるので有用である。
【図面の簡単な説明】
【００４７】
【図１】本発明の第１の実施の形態におけるファイル名作成装置の概略機能ブロック図である。
【図２】本発明の第１の実施の形態におけるファイル名作成装置の動作を示すフロー図である。
【図３】ファイル名領域の設定画面を示す図である。
【図４】ファイル名領域の設定状態を示すテーブルである。
【図５】ファイル名領域の具体例を示す図である。
【図６】ファイル名領域の設定状態を示すテーブルである。
【図７】本発明の第２の実施の形態におけるファイル名作成装置の概略機能ブロック図である。
【図８】読取原稿画像のサムネイル表示画面を示す図である。
【符号の説明】
【００４８】
１    ファイル名領域設定手段
２    決定手段
３    読取手段
４    判読手段
５    選択手段
【図１】
2005311729.tif 000003
【図２】
2005311729.tif 000004
【図３】
2005311729.tif 000005
【図４】
2005311729.tif 000006
【図５】
2005311729.tif 000007
【図６】
2005311729.tif 000008
【図７】
2005311729.tif 000009
【図８】
2005311729.tif 000010